(57)【要約】【課題】ロータリ耕耘装置の耕耘筒への草類（長藁，雑草等）の巻き付きを効果的に防止できる草藁巻付防止装置を設ける。【解決手段】ロータリ耕耘装置２の耕耘筒１５の外周に、該耕耘筒１５の反回転方向（耕耘筒１５の回転方向に対して背面側）に向く凹状の円弧刃面３１ａを有する草藁切断刃３１を設けることによって、圃場での耕耘作業中に耕耘筒１５へ巻き付いた草藁（長藁，雑草等）Ｇは、遠心力により草藁切断刃３１の凹状の円弧刃面３１ａに当接しながら耕耘筒１５の外周から浮上する。その際、前記草藁Ｇは、草藁切断刃３１の円弧刃面３１ａに強く突き当たりながら切断されて細片化し、この細片化した草藁Ｇが耕耘土と共に放擲されるように構成した。【選択図】図４
2009106205.tif 000002
【特許請求の範囲】
【請求項１】
複数の耕耘爪（１４）を装着した耕耘筒（１５）と、前記耕耘爪（１４）の上方を覆うロータリカバー（１９）を備えたロータリ耕耘装置（２）であって、前記耕耘筒（１５）の外周に、該耕耘筒（１５）の回転方向に対して背面側に刃面（３１ａ）を有する草藁切断刃（３１）を設けたことを特徴とするロータリ耕耘装置における草藁巻付防止装置。
【発明の詳細な説明】
【技術分野】
【０００１】
本発明は、トラクタ等の農作業用車両の後部にリンク装置を介して昇降自在に装着されるロータリ耕耘装置に係り、詳しくは複数の耕耘爪を装着した耕耘筒に設ける草藁巻付防止装置に関する。
【背景技術】
【０００２】
従来、トラクタ等の農作業用車両の後部には、三点リンク式の作業機装着装置が配設されており、この作業機装着装置の後部にロータリ耕耘装置等の作業機を昇降自在に装着できるようになっている。また、複数の耕耘爪が装着されているロータリ耕耘装置の耕耘筒は、当該ロータリ耕耘装置の片側に設けた伝動ケース内の駆動スプロケットと従動スプロケットに巻き掛けられた駆動チェンによって回転駆動するようになっており、農作業用車両を走行させながら耕耘筒を回転駆動させることによって耕耘爪による圃場の耕耘作業が行われる。
【０００３】
そして、耕耘筒の回転駆動によって該耕耘筒に草藁（長藁，雑草等）が巻き付くことを防止するために、耕耘筒の外周から所定間隔を存して該耕耘筒と略平行な一本のロッドを、当該耕耘筒の左右最外端側の耕耘爪ホルダ間に張設支持したものが知られている（例えば、特許文献１参照）。
【０００４】
また、耕耘爪に巻き付いた草藁を耕耘時の砕土圧力によって切断すべく、当該耕耘爪の内方曲面側の端面、即ち耕耘軸（車軸）の回転方向に鋸刃状の切断刃を設けたものが知られている（例えば、特許文献２参照）。
【特許文献１】特開平１０−１５０８０１号公報（第３頁、図１）
【特許文献２】実開昭６０−８９８０４号公報（図１〜図３）
【発明の開示】
【発明が解決しようとする課題】
【０００５】
しかし、上述した従来の特許文献１のものは、耕耘筒の外周から所定間隔を存して耕耘筒と略平行に張設したロッドによって、耕耘筒に巻き付こうとする草藁を捕捉しながら放擲しようとするものであるが、その期待効果が十分に得られず、特に一旦耕耘筒に巻き付いてしまった草類は鎌等を用いて切除しなければならなかった。また、特許文献２のものは、耕耘軸の回転方向に切断刃を設けているので、該切断刃は、土中の石との衝突により磨耗や損傷が激しく実用的なものではなかった。
【課題を解決するための手段】
【０００６】
本発明は、上記課題を解決することを目的としたものであって、複数の耕耘爪を装着した耕耘筒と、前記耕耘爪の上方を覆うロータリカバーを備えたロータリ耕耘装置であって、前記耕耘筒の外周に、該耕耘筒の回転方向に対して背面側に刃面を有する草藁切断刃を設けたことを特徴としている。
【発明の効果】
【０００７】
本発明によれば、ロータリ耕耘装置における草藁巻付防止装置として、複数の耕耘爪を装着した耕耘筒の外周に、該耕耘筒の回転方向に対して背面側に刃面を有する草藁切断刃を設けたことによって、圃場での耕耘作業中に前記耕耘筒へ草藁（長藁，雑草等）が巻き付いた場合は、この草藁は、遠心力により草藁切断刃の刃面に当接しながら耕耘筒の外周から浮上する。その際、前記草藁は、草藁切断刃の刃面に強く突き当たりながら切断されて細片化し、この細片化した草藁は、耕耘土と共に放擲されるので耕耘筒への草藁の巻き付きを防止できるようになる。そして、草藁切断刃の刃面は、耕耘筒の反回転方向に向いており、圃場での耕耘作業時に耕耘爪によって跳ね上げられる石との衝突による磨耗や損傷が起こり難い。
【発明を実施するための最良の形態】
【０００８】
以下、本発明の実施形態を図面に基づいて説明する。図１は、農作業用車両であるトラクタ１の後部に装着したロータリ耕耘装置２によって耕耘作業を行っている状態を示す側面図であり、また図２は、ロータリ耕耘装置２の平断面図であって、当該ロータリ耕耘装置２は、３点リンク機構３及びオートヒッチ４を介してトラクタ１に昇降自在に装着されている。
【０００９】
そして、ロータリ耕耘装置２の中央部にはギヤケース５が設けてあり、このギヤケース５の上部に左右一対のトップマスト６，６を固設すると共に、該トップマスト６，６の前側上部をオートヒッチ４に連結してある。また、トップマスト６，６の後側上部には、通常は尾輪や畦立器等を装着するツールバー７の上下姿勢を調節するためのネジ式調節装置８を軸支している。
【００１０】
また、ギヤケース５の左右両側には、ロータリ耕耘装置２の横伝動筒を兼ねる左側筒状アーム１０と、この左側筒状アーム１０と略同寸法の右側筒状アーム１１を配設すると共に、左側筒状アーム１０の外端（左端側）にはロータリ耕耘装置２の伝動ケースであるチェンケース１２、一方右側筒状アーム１１の外端（右端側）にはサイドプレート１３を固設してある。そして、複数本の耕耘爪１４を装着した耕耘筒１５をチェンケース１２とサイドプレート１３の下部に配設したボールベアリング１６，１７，１８に軸支することによって、当該ロータリ耕耘装置２を一体的に組み立てている。尚、耕耘爪１４は、耕耘筒１５に固設したホルダ１５ａを介して装着（螺設）してある。
【００１１】
また、耕耘爪１４の上方を覆うロータリカバー１９を側面視で円弧状に形成すると共に、その後寄り左右両側にサイドカバー２０，２０を設けている。そして、ロータリカバー１９後部の支点Ｐを回動中心としてリヤカバー２１を上下回動自在に軸支すると共に、左右一対の吊りロッド２２，２２を介してリヤカバー２１を持ち上げ可能に構成することによって、耕耘爪１４の回転軌跡とリヤカバー２１との空間Ｓを所望の隙間に調節できるようにしてある。
【００１２】
また、トラクタ１の後部ＰＴＯ軸とユニバーサルジョイントを介して連結する入力軸２４から伝達される駆動力は、ギヤケース５内のベベルギヤ２５，２６を介して左側筒状アーム１０に内装した駆動軸２７に伝達され、更にチェンケース１２の上部で駆動軸２７に軸着した駆動スプロケット２８と、チェンケース１２の下部で耕耘筒（従動軸）１５に連結した従動スプロケット２９に巻き掛けた駆動チェン３０を介して、当該耕耘筒１５を回転駆動させるように構成してあり、所謂サイドドライブ方式の伝動機構を採用している。
【００１３】
そして、本発明のロータリ耕耘装置２には、回転駆動する耕耘筒１５へ巻き付いた草藁（長藁，雑草等）を切断することができる草藁巻付防止装置として、図３及び図４に示す草藁切断刃３１を設けている。この草藁切断刃３１は、耕耘筒１５に装着されている複数本の耕耘爪１４の間を縫いながら、図３に二点鎖線Ｂで示如く所定の間隔で当該耕耘筒１５の外周に略螺旋状に設けてある。
【００１４】
更に詳しく説明すると、草藁切断刃３１は、耕耘筒１５の回転方向である図中Ａ矢印方向に対して、その背面側である反回転方向に向く凹状の円弧刃面３１ａを図４に示す如く有しており、圃場での耕耘作業中に耕耘筒１５へ草藁Ｇが巻き付いた場合は、この草藁Ｇは、遠心力によって草藁切断刃３１の凹状の円弧刃面３１ａに当接しながら耕耘筒１５の外周面Ｆから図中Ｄ矢印方向に浮上する。その際、前記草藁Ｇは、草藁切断刃３１の円弧刃面３１ａに強く突き当たりながら切断されて細片化し、この細片化した草藁Ｇは、耕耘土と共に放擲されるので耕耘筒１５への草藁Ｇの巻き付きを防止できるようになる。
【００１５】
尚、上述した草藁切断刃３１は、耕耘筒１５の回転方向である図中Ａ矢印方向に対して後退角を有する凸状の円弧３１ｂを形成しており、この凸状の円弧３１ｂによって耕耘筒１５へ巻き付こうとする草藁Ｇを浮き上がらせることができるようになっており、特許文献１における耕耘筒の外周から所定間隔を存して該耕耘筒と略平行に張設支持した一本のロッドと同様に、一旦浮き上がった草藁Ｇを耕耘土と共に放擲せしめる作用効果を奏する。また、草藁切断刃３１の円弧刃面３１ａは、耕耘筒１５の反回転方向に向いており、圃場での耕耘作業時に耕耘爪１４によって跳ね上げられる石との衝突による磨耗や損傷が起こり難い。
【図面の簡単な説明】
【００１６】
【図１】ロータリ耕耘装置による耕耘作業状態を示す側面図。
【図２】ロータリ耕耘装置の一部を省略した平断面図。
【図３】耕耘筒の要部斜視図。
【図４】草藁切断刃（草藁巻付防止手段）の作用状態を示す要部側面図。
【符号の説明】
【００１７】
２      ロータリ耕耘装置
１４    耕耘爪
１５    耕耘筒
１９    ロータリカバー
３１    草藁切断刃
３１ａ  刃面
【図１】
2009106205.tif 000003
【図２】
2009106205.tif 000004
【図３】
2009106205.tif 000005
【図４】
2009106205.tif 000006